(57)【要約】      （修正有）【課題】木造建築物を建築する作業で、建築に詳しくない者でも設計・施工業者の仕事を理解し、作業工程をチェックして、施主と施工業者簡の金銭トラブルの発生を減少させる方法を提供する。【解決手段】地質調査から外構工事までの工事をビデオ・CD・DVD・映像、図解入りテキスト及び簡単な器具を使用して設計・施工業者の仕事を理解し、各種の施工・作業工程をチェックして確認する。同時に各種施工の方法を理解した上で、標準施工単価表により適正な工事価格を割り出し、施工価格をチェックする。【選択図】図１
2005068895.tif 000002
【特許請求の範囲】
【請求項１】
建築工法チェック方法に於いて；
１．地質調査、２．地盤改良、３．基礎工事、４．水道工事、５．木工事、６．屋根工事、７．金物工事、８．防蟻・防腐工事、９．電気工事、１０．ユニットバス工事、１１．板金工事、１２．ガス工事、１３．畳工事、１４．ペンキ工事、１５．クロス工事、１６．防水工事、１７．外壁工事、１８．土間コンクリート打設及び１９．解体工事等の各種施工・作業工程を収録して成る建築工法チェック方法チェック用ビデオ。
【請求項２】
建築工法チェック方法に於いて；
１．地質調査、２．地盤改良、３．基礎工事、４．水道工事、５．木工事、６．屋根工事、７．金物工事、８．防蟻・防腐工事、９．電気工事、１０．ユニットバス工事、１１．板金工事、１２．ガス工事、１３．畳工事、１４．ペンキ工事、１５．クロス工事、１６．防水工事、１７．外壁工事、１８．土間コンクリート打設及び１９．解体工事等の各種施工・作業工程を収録して成る建築工法チェック方法チェック用CD。
【請求項３】
建築工法チェック方法に於いて；
１．地質調査、２．地盤改良、３．基礎工事、４．水道工事、５．木工事、６．屋根工事、７．金物工事、８．防蟻・防腐工事、９．電気工事、１０．ユニットバス工事、１１．板金工事、１２．ガス工事、１３．畳工事、１４．ペンキ工事、１５．クロス工事、１６．防水工事、１７．外壁工事、１８．土間コンクリート打設及び１９．解体工事等の各種施工・作業工程を収録して成る建築工法チェック方法チェック用DVD。
【請求項４】
該建築物を木造住宅として成る請求項１〜３記載の建築工法チェック方法。
【請求項５】
地質調査から竣工までの各工事の要点を順次建築に詳しくない者が見て容易に理解出来る様に撮影したビデオ・CD・DVD映像を見ると共に、図解入りテキストを参照しながら簡単な器具を使用して建築に詳しくない者でも設計・施工業者の仕事の内容を理解し、各種の施工・作業工程のポイントをチェックして確認する建築工法チェック方法。
【請求項６】
該簡単な器具を指しがね、水準器、メジャーとして成る請求項１〜５記載の建築工法チェック方法。
【発明の詳細な説明】
【技術分野】
【０００１】
この発明は、建築工法チェック用ビデオ・CD・DVD及び建築工法チェック方法に関し、更に詳しくは木造住宅を建築する作業に於いてビデオ映像とCD・DVD、図解入りテキスト及び簡単な器具を使用して建築に詳しくない者でも設計・施工業者の仕事の内容を理解し、各種の施工・作業工程をチェックして確認し、且つ建物のリフォームや各施工業者業種別の標準施工単価を添付する事により工事施工金額の目安となる積算等にも使用可能な建築工法チェック用ビデオ・CD・DVD及び建築工法チェック方法に関する。
【背景技術】
【０００２】
木造軸組在来工法、ツウバイ工法、ユニット工法、鉄骨木質プレハブ工法、軽量重量鉄骨造・鉄筋コンクリート造の建物を建築する作業は、極めて専門的であり、建築に詳しくない者所謂素人には中々これら工法を理解出来ず、手抜き工事や欠陥を見抜けなかった。
又、施工に対する適正な価格を示す基準も知り得ず、施主と施工業者間の金銭トラブルも多かった。
【０００３】
そこで木造家屋の欠陥をチェックする本として次の様な刊行物が提案されている。
【非特許文献１】題  名：        「家の欠陥がわかる秘密集」著  者：        春日  健司出版社：        (株)  経済界出版年月日：  昭和５５年２月２５日
【０００４】
その内容には、１）現場チェック、２）構造チェック、３）内外装チェック、４）外周りチェック、５）広告でチェック、６）売り出し現場チェック等が含まれるが、一級建築士や建築施工業者が書いたものではなく、しかも基礎工事から竣工まで体系的には記載されていなく、断片的、部分的工事の欠陥を只単に指摘しているだけで、具体的なチェック方法が記載されていない。
【０００５】
又、全ての工事に関し、一部の表面的な住宅の欠陥しか指摘しておらず、細部にわたり詳細に原因を究明し、それを防ぐ方法、チェックする方法等が記載されていない。
【０００６】
更に、水道工事、電気工事、屋根工事等各工事の施工過程が全く記載されてなく、広告、売り出し現場、環境、不動産会社の信用のチェック等が記載されているのみで、販売促進のための宣伝が主であり、本来の意味の新築家屋の各種の施工・作業工程のチェックが出来ず、時代遅れの着想であり、新建材が開発されている現在の木造住宅の各種の施工・作業工程のチェックには適しない。
【発明の開示】
【発明が解決しようとする課題】
【０００７】
一般に一軒の木造住宅を建築する際、各種作業があり、平均１２０〜１５０日の日数を要する。それを朝から作業が終わるまで一日も休むことなくビデオカメラにより作業工程を撮影することは、労力的にも金銭的にも不可能である。
【０００８】
又、施工業者も朝から作業が終わるまで撮影され、チェックされるということは、お互いに余程信頼関係が無ければ不可能である。
【０００９】
木造家屋の建築に於いて施工業者に委託する際、設計図の作成、地盤調査、軟弱な地盤の場合はその改良、解体すべき家屋がある場合はその解体工事、GLの測定、遣り方出し、砕石の投下とその填圧作業等の基礎工事から始まって具体的には、２０種類位の各種作業がある。
【００１０】
建築工法のチェック方法に於いて、何が重要なチェックポイントであるか、各施工業者から教えて貰える事は中々出来ず、前述の通り数十年の付き合いで得られる信頼関係がないと殆ど不可能である。
【００１１】
一つの建物を建築するためには、２０数種の工事業者が参加する。その長たる建築士の主な仕事は、施主と快適な住居とするための意匠・間取り等の打合せをし、それに基いて建築図面を作成し、関係役所に建築確認の申請をする。
【００１２】
具体的には
１．地質調査
２．地盤改良
３．基礎工事
ａ）  ＧＬを決める
ｂ）  基礎
ｃ）  遣り方出し
ｄ）  根切り・砕石・填圧
ｅ）―（１）捨てコンクリート・墨出し（ベタ基礎の場合）
―（２）捨てコンクリート・墨出し（布基礎の場合）
ｆ）  耐圧部と立ち上がりの鉄筋・アンカーボルト・ホールダウン金物の設置
ｇ）  基礎の立ち上がり
ｈ）  束石  
ｉ）  土台パッキング
４．水道工事
ａ）  勾配を取る
ｂ）  スリーブ
ｃ）  下地（板）・バンド
５．木工事
ａ）  上棟
ｂ）  軸組
ｃ）  床を張る
ｄ）  ２階玄関の床
ｅ）  耐火ボード
ｆ）  断熱材
ｇ）  建具の下地の良し悪し
６．屋根工事
７．金物工事
８．防蟻・防腐工事
９．電気工事
１０．ユニットバス工事
１１．板金工事
１２．ガス工事
１３．畳工事
１４．ペンキ工事
１５．クロス工事
１６．防水工事
１７．外壁工事
ａ）  サイディング
ｂ）  モルタル
ｃ）  タイル
１８．土間工事コンクリート打設工事 
１９．解体工事
等である。
【００１３】
そして建物の竣工までの管理業務があり、これは施主が費用によってそれを依頼するか否かを決定する。若し建築士に依頼したとしても、建築現場には５〜１０回位しか来ないのが実情である。
【００１４】
小規模及び個人施工店は、現場監督が工事を管理するが、実際は一人の監督がいくつもの工事現場を掛け持ちし、段取り（施工上の業者への手配）だけで手一杯であり、工事現場にも数回行くだけで工事が終了してしまうのが現状である。建築士・現場監督の中には少ないながらも熱心な人は、数十回も工事現場に来る。
【００１５】
一級建築士や建築施工店の大工自身が木工事業務に従事している場合でも、次から次へと新商品が開発され、その技術や知識が追いつかず、自己の仕事に没頭して工事に関する管理業務がおろそかになる。
【００１６】
一級建築士や建築施工店の現場監督が、竣工までに５〜１５回程来ても、現場では１００日〜１５０日、毎日の様に工事が行われている。日数的に見ても、彼らが自身が施工管理を実施することは不可能である。
【００１７】
施工会社が毎日建築現場にチェックに行ったとしても、必ず数箇所はミスがある。ましてや工事期間中に現場に５〜１５回しか来なければ、種々のチェックをすることは殆ど不可能である。
【００１８】
更に、建築士・現場監督は、実務に関しては施工業者でないので、現場に居合わせても、細かな施工や本当の意味での肝心な部分のチェックが出来るとは限らない。本当に仕事を理解しているのは、実際施工をしている施工業者本人である。そして施工業者の体調、気分、請負金額等によっても施工の出来栄えが相違する。
【００１９】
施主となる普通の顧客は、施工に関しては全くの素人であり、２０種類位の業務に従事したこともないし、専門知識や経験もなく、頻繁に現場に通ったとしても、ただ見るだけで、何が手抜きで、どこが欠陥なのか、どこを重点的にチェックすればよいか分からない。
【００２０】
この様な現状では、テレビや新聞・雑誌等を賑わしている悪質な施工業者の手抜き工事や欠陥住宅がいつまで経っても減少せず、トラブル発生も当然である。
【００２１】
これら他の理由の一つとして、施工業者が各種工事の大切なポイント、絶対にしてはならない施工等、自分の手の内を契約相手である施主に教えると、施主から施工に関してクレーム等がつき、金銭問題とか、他の種々のトラブル原因となることが予想される。
【００２２】
元来木造建築物の木材は、水やシロアリに遭わなければ３００〜３５０年程段々強くなり、８００年持つと言われている。欠陥が無く、耐久性の高い建物を建てれば２０年〜３０年で建て替える必要がなくなるので格段に経済的となる。
【課題を解決するための手段】
【００２３】
この発明に係る建築工法チェック用ビデオ・CD・DVD及び建築工法チェック方法によれば、ビデオ・CD・DVD映像、図解入りテキスト及び簡単な器具とを使用して建築に詳しくない者でも設計・施工業者の仕事の内容を理解し、各種の施工・作業工程をチェックして確認出来る建築工法チェック方法を提供する。
【００２４】
又、標準施工単価表により、施主に対する法外な金銭請求を防ぐ事になり、それによるトラブルも減少する。
【００２５】
更に、建物のリフォームや積算等にも使用可能な建築工法チェック方法を提供する。
【発明の効果】
【００２６】
（１）この発明に係る建築工法チェック用ビデオ・CD・DVD及び建築工法チェック方法によれば、地質調査（所要に応じ解体工事）から竣工までの各施工順にその重要ポイントを素人が見ても容易に理解出来る様に撮影したビデオ・CD・DVD映像及び図解入りテキストを見ると共に、指しがね、水準器、メジャー等の簡単な器具を使用して建築に詳しくない者でも設計・施工業者の仕事の内容を理解し、各種の施工・作業工程のポイントをチェックして確認出来る様になる。
【００２７】
（２）この発明に係る建築工法チェック方法によれば、ビデオ・CD・DVD映像を見ながら建築に詳しくない者でも講習を受け、設計・施工業者の仕事の内容を理解し、各種の施工・作業工程のポイントを容易にチェック出来る様になる。
【００２８】
（３）この発明に係る建築工法チェック方法によれば、十分な耐震補強性、耐候性を有し、住み心地がよい木造住宅が建築出来る様になる。
【発明を実施するための最良の形態】
【００２９】
この発明に係る建築工法チェック方法は、ビデオ・CD・DVD映像、図解入りテキスト及び簡単な器具とを使用して建築に詳しくない者でも設計・施工業者の仕事の内容を理解し、各種の施工・作業工程を順次チェックし、確認するものである。
【実施例】
【００３０】
この発明に係る建築工法チェック方法を木造家屋の建築をチェックする実施例について説明する。
先ず請求項１に於いて、ビデオ映像に、１．地質調査、２．地盤改良、３基礎工事  ａ）ＧＬを決める、ｂ）基礎、ｃ）遣り方出し、ｄ）根切り・砕石・填圧、ｅ）―  （１）捨てコンクリート・墨出し（ベタ基礎の場合）、―  （２）捨てコンクリート・墨出し（布基礎の場合）、ｆ）  耐圧部と立ち上がりの鉄筋・アンカーボルト・ホールダウン金物の設置、ｇ）  基礎の立ち上がり、ｈ）  束石、ｉ）土台パッキング、４．水道工事、ａ）勾配を取る、ｂ）スリーブ、ｃ）下地（板）・バンド、５．木工事  ａ)上棟、ｂ）軸組、ｃ）床を張る、ｄ）２階玄関の床、ｅ）耐火ボード、ｆ）断熱材、ｇ）建具の下地の良し悪し、６．屋根工事、７．金物工事、８．防蟻・防腐工事、９．電気工事、１０．ユニットバス工事、１１．板金工事、１２．ガス工事、１３．畳工事、１４．ペンキ工事、１５．クロス工事、１６．防水工事、１７．外壁工事、ａ）サイディング、ｂ）  モルタル、ｃ）タイル、１８．土間コンクリート打設工事、１９．解体工事等の各工事を収録する。
【００３１】
次に請求項２に於いて、CDに、１．地質調査、２．地盤改良、３基礎工事  ａ）ＧＬを決める、ｂ）基礎、ｃ）遣り方出し、ｄ）根切り・砕石・填圧、ｅ）―  （１）捨てコンクリート・墨出し（ベタ基礎の場合）、―  （２）捨てコンクリート・墨出し（布基礎の場合）、ｆ）  耐圧部と立ち上がりの鉄筋・アンカーボルト・ホールダウン金物の設置、ｇ）基礎の立ち上がり、ｈ）束石、ｉ）土台パッキング、４．水道工事、ａ）勾配を取る、ｂ）スリーブ、ｃ）下地（板）・バンド、５．木工事  ａ)上棟、ｂ）軸組、ｃ）床を張る、ｄ）２階玄関の床、ｅ）耐火ボード、ｆ）断熱材、ｇ）建具の下地の良し悪し、６．屋根工事、７．金物工事、８．防蟻・防腐工事、９．電気工事、１０．ユニットバス工事、１１．板金工事、１２．ガス工事、１３．畳工事、１４．ペンキ工事、１５．クロス工事、１６．防水工事、１７．外壁工事、ａ）サイディング、ｂ）  モルタル、ｃ）タイル、１８．土間コンクリート打設工事、１９．解体工事等の各工事を収録する。
【００３２】
請求項３に於いて、DVDに、１．地質調査、２．地盤改良、３基礎工事  ａ）ＧＬを決める、ｂ）基礎、ｃ）遣り方出し、ｄ）根切り・砕石・填圧、ｅ）―  （１）捨てコンクリート・墨出し（ベタ基礎の場合）、―  （２）捨てコンクリート・墨出し（布基礎の場合）、ｆ）耐圧部と立ち上がりの鉄筋・アンカーボルト・ホールダウン金物の設置、ｇ）基礎の立ち上がり、ｈ）束石、ｉ）土台パッキング、４．水道工事、ａ）勾配を取る、ｂ）スリーブ、ｃ）下地（板）・バンド、５．木工事  ａ)上棟、ｂ）軸組、ｃ）床を張る、ｄ）２階玄関の床、ｅ）耐火ボード、ｆ）断熱材、ｇ）建具の下地の良し悪し、６．屋根工事、７．金物工事、８．防蟻・防腐工事、９．電気工事、１０．ユニットバス工事、１１．板金工事、１２．ガス工事、１３．畳工事、１４．ペンキ工事、１５．クロス工事、１６．防水工事、１７．外壁工事、ａ）サイディング、ｂ）  モルタル、ｃ）タイル、１８．土間コンクリート打設工事、１９．解体工事等の各工事を収録する。
【００３３】
請求項４に於いて、建築物を木造住宅とする。
【００３４】
請求項５に於いて、地質調査から竣工までの各工事を順次その重要ポイントを素人でも容易に理解出来る様に撮影したビデオ・CD・DVD映像及び図解入りテキストを見て、同時に簡単な器具を使用して建築に詳しくない者でも設計・施工業者の仕事の内容を理解し、各種の施工・作業工程のポイントをチェックして確認する。
【００３５】
請求項６に於いて、図２〜４に示す通り、簡単な器具を指しがね５２、水準器５４、メジャー５６等とする。  
【００３６】
この発明に係る建築工法チェック方法の各工程を具体的に説明する。
１．地質調査のチェックポイントに於いて、図５に示す通り、強固に見える地盤でも素人では地中の土の軟弱度は分からず、特に盛り土の場合建築依頼主は、建築家、工務店等に相談し、地質調査会社に依頼し、必ず建築物を建てる土地の地耐力を調査し、必要に応じ、例えばスウェーデン式サウンディング試験で調査する。
【００３７】
２．地質調査の結果、地盤が軟弱な場合地盤改良が必要となる。地盤改良には、図６に示す通り、表層改良・柱状改良・鋼管杭圧入工法等があり、予算に応じて建築家、工務店に相談の上、地盤改良会社に依頼して地盤改良を実施する。
【００３８】
３．基礎工事に於いて。
ａ）ＧＬを決定の基本は、５ｃｍでも道路から高くし、水が道路から自分の土地に流入するのを防止する。
【００３９】
ｂ）図７で、基礎には、布基礎とベタ基礎とがあり、いずれの場合も基礎の内側をＧＬより高くする。 
【００４０】
ｃ）遣り方出し（建物の配置を決める）に於いては、図８で建物が建つ位置の周りに板を張り、そこに寸法を入れて実際に建てる位置を決定する。敷地に建物を配置する際、民法上隣地境界線から有効で５０ｃｍあける必要があり、建物は、日当たりを考慮してなるべく北側に寄せて南側を広く開けるのが基本であり、若し南側に余裕がなければ東側を空け、建物周囲に足場が入る最低有効５０ｃｍ空けることが望ましく、直角箇所は、大矩（おおがね、指しがね）５２で計測する。
これをまとめると、（１）建物は、なるべく敷地の南・東を空けて配置し、（２）直角の箇所は、大矩（おおがね５０）を介して計測し、（３）後で補修する際の足場が立つように、建物の周囲で裏の方も最低５０ｃｍ空ける。
【００４１】
ｄ）根切り・砕石・填圧では、遣り方出しで建物の配置が決まったら、基礎を作る箇所の土を掘って（根切り）所要幅と深さの溝を作り、掘り出した土を搬出し、先ず溝の中に直径６〜８ｃｍ位の大きさの砕石を、その上に直径４ｃｍ位の大きさの砕石を撒いて全体に間隙が無いように敷き詰め、撒いた砕石の厚みは約１５ｃｍとし、填圧する。
この場合のチェックポイントは、（１）ベタ基礎で敷地に余裕がない場合、掘り出した土を搬出し、（２）根切り後、砕石を入れ、填圧してあるか、を点検する。
【００４２】
ｅ）―（１）捨てコンクリート（砂＋セメント＋砂利＋水）墨出し（ベタ基礎の場合）。
次に、填圧した砕石の上に、２〜３ｃｍの厚さでモルタル（砂＋セメント＋水）を平らに塗布する。この場合、墨出しのため、砕石の上にモルタルを塗布する。
【００４３】
f）―（２）捨てコンクリート・墨出し（布基礎の場合）。
填圧した砕石の上に配筋し、その上に基礎の底盤を打ち、その上に立ち上がり部分の墨出をする。
【００４４】
g）耐圧部と立ち上がりの鉄筋・アンカーボルト・ホールダウン金物の設置。
図１１に於いて、墨出して基礎の位置が決定されたら型枠を作り、配筋し、アンカーボルトも設置し、床部分（耐圧盤又は底盤と言う）には、直径１ｃｍ又は１．３ｃｍの太さの鉄筋を、２０〜３０cm間隔で格子状に組んで敷き、格子が細かい方がより強固になる。
基礎の立ち上がり部分に入れる横筋は、上部と下部は直径１．３ｃｍ、中央は１ｃｍ以上jの太さのものを使用し、全部１．３ｃｍとしてもよく、力がかかる上下には、必ず直径１．３ｃｍの横筋を使用する。
この場合のチェックポイントは、（１）コーナー部分の鉄筋が重なっているか、（２）風窓がある場合、鉄筋の補強がされているか、である。
【００４５】
h）基礎立ち上がり。
図９に於いて、基礎立ち上がり部分にコンクリートを打ち、この時撹拌機で撹拌しながら打ち込んでいくと間隙がなく行き渡り、コンクリート打ち込み後、型枠に打ってある墨に合わせて天端（てんば）ならしをし、土台が間隙なく水平にのるようにする。
この場合のチェックポイントは、（１）撹拌機で間隙なくコンクリートを撹拌しながら打ち込んで行き渡らせ、（２）基礎の天端（てんば）が水平になっているか、である。
【００４６】
I）束石。
基礎を形成しない部屋の中央部には、大引きの下に束を立てるため、９０cm間隔で束石を置き、束石が動かないように、必ずモルタルで固定する。
【００４７】
ｉ）土台パッキング。
図８に於いて、床下の換気通風は、家屋を長持ちさせるために重要であり、それには、基礎に風窓を設けるか、土台パッキングを使用する方法があり、風窓を設ける場合は、水が入り難いように、なるべく、基礎の上の方に取り付ける。
図１０に於いて、最近では、基礎に風窓をあけると基礎が弱くなるので、風窓の代わりに、土台パッキングを設けることが多くなっており、通風量も土台パッキングを使用した方が風窓の１．４倍となる。又、基礎と土台の間にパッキングが敷かれていることにより土台が腐敗し難くなる。
この場合のチェックポイントは、（１）基礎の隅々まで空気が流れるようになっているか（床下を、人間が隅々まて入って行けるか）、（２）土台パッキングが正しく敷かれているか、である。
【００４８】
４．水道工事。
ａ）勾配を取る。
水道工事では、排水管の勾配を取ることが大事であり、勾配がついていないと排水がうまく流れず、詰まりの原因となり、１００分の２以上の勾配とすることが理想的である。土を掘り、１ｍで２ｃｍ、５ｍの距離なら１０ｃｍの高低差をつけながら、（ベタ基礎の場合なら家屋の内部で）バンドで固定する。敷地が狭い場合は、基礎ができた段階で、外回りの給排水配管工事を先にする。排水管は、なるべく直径１０ｃｍのものを使用する。
【００４９】
ｂ）スリーブ。
建物内部からの給排水管の出し方には、耐圧盤を貫通して外に出す方法と、基礎立ち上がり部分の下部を通す方法と建物ｌを貫通させる方法がある。この場合のチェックポイントは、基礎立ち上がり部分に給排水管を通す場合は、コンクリートを打つ前にスリーブが入っているかであり、スリーブは後からは入れられない。
【００５０】
ｃ）下地（板）・バンド。
水道管の蛇口をひねるとガタガタいってうるさいのは、配管する時下地を入れて正確に給水管を固定していないからである。給水管は、下地を入れてバンドで固定する。
２階の排水管が、１階の天井裏を通る場合は、排水音がうるさいので間取りを考える時点で、１階の寝室の天井裏には、２階の排水管が通らないで、避けるようにする。どうしても避けられない場合は、排水管に防音材を被覆する。
この場合のチェックポイントは、（１）排水管の勾配が取れているか、（２）給水管・排水管を手で揺らしてみて、動くようなら、バンドでもう一度固定する、（３）トイレのタオル掛けや紙巻き器の下地が入っているか、（４）点検口と排水マスがあるか。
【００５１】
５．木工事。
木工事の中には先ず、ａ）上棟、ｂ）  軸組、ｃ）  床を張る、ｄ）  ２階玄関の床、ｅ）  耐火ボード、ｆ）  断熱材、ｇ）  建具の下地の良し悪し検討がある。
【００５２】
上棟の前日位に大工は、裏側に防蟻・防腐剤を塗布した土台を基礎の上に設ける。又、土台パッキングを使用する場合は、その時点で土台の下に設ける。
基礎工事終了後、土台を引き終わると家屋の骨組みを立ち上げる。柱が土台に垂直になるようにしたら、仮の「筋交い」を入れて柱が歪まないようにする。柱が傾いている時は、柱を機械で引っ張り、傾きを矯正し、土台・梁・桁に対して柱が垂直になるようにし、垂直に直ったところで、きちっと仮筋交いを入れて固定する。外周部分の角角（かどかど）には、横揺れから土台を守るため、土台火打ちを入れる（図１２）。
【００５３】
柱と梁とを羽子板金物で固定し、筋交いを大きな金物で固定し、地震対策としては筋交いを所要個数以上設ける。
ホールダウン金物を柱に固定し、基礎、土台、柱とを一体とし、地震が起きても柱が抜け難くする。
この場合のチェックポイントは、ホールダウン金物の位置がずれると効き目が半減するので、基礎の中にホールダウン金物を組み込む時から、柱の太さとホールダウン金物の位置を確認する必要がある。
【００５４】
図１２〜１４に於いて、木材の継ぎ目には、&#26520;（ほぞ）を組んで羽子板で留め、かすがいで母屋束を留め、かすがいの他にも、性能の良い留め金でも留めていく。屋根の母屋束にも桁行き筋交いを入れる。これは、屋根裏部分で完成後は見えなくなるが、小屋根裏部分も横揺れに対する強度が増加する各階の床の根太は、洋間の場合約３０ｃｍ間隔、和室の場合約４５ｃｍ間隔で入れる。寸法は、基本的には柱の心（中心）で測る。
【００５５】
柱と梁は、この様な金物で固定し、筋交いでも地震対策上極めて重要であり、筋交いに使用する木材もなるべく太くする。特に１階部分には、2階に比べて大きい重量が加わり、筋交いが重要な役割を有するので、太いものを使用する。通常９ｃｍ角を二つ割にした木材（９ｃｍX４．５ｃｍ）を使用しているが、１０．５ｃｍX４．５ｃｍくらいのものが望ましく、出来れば２階にもこの程度の筋交いを使用することが望ましい。梁と梁又梁と桁を繋ぎ合わせる時に出来る継ぎ目には、継ぎ手金具を取り付け、縦・横揺れによる継ぎ手の抜けを防止するために補強金具を取り付ける。
この場合のチェックポイントは、筋交いや菅柱も出来るだけ太い金物で留める必要がある。
【００５６】
１階の天井を吊る時は、２階の根太に直に取り付けないで、梁に吊るか又は天井用に新たに木を一本設け、それに天井を吊ると２階の足音や振動が伝わり難くなる。
【００５７】
６．屋根工事。
屋根材には、鋼板製やステンレス製トタン葺き、薄いスレート製葺き、少し厚いスレート製葺き、スレート瓦、焼き物である洋瓦、日本瓦等があり、耐地震性、スレート製葺きの長年による退色性、家屋に対する重量、屋根の勾配、雨水の切れ等を考慮して選択する。
この場合のチェックポイントは、（１）屋根下地の防水紙は２重に張ってあること、（２）壁と下屋の立ち上がり部分は、防水紙を最低１５ｃｍ以上立ち上げる、ことである。
【００５８】
大引きの下の束（束柱）は、束石にバンセンを通して大引きに確実に固定すれば地震等があっても束が抜けなく、束と大引きを釘で止め、バンセンを巻いて補強する。最近、束石と束の代わりにナイロン樹脂製の通称プラ束や鋼鉄製の束も使用されている。
【００５９】
１階の床を張る前には、床下を掃除し、おが屑や木片等を除去してシロアリの被害や腐敗を防止する。
【００６０】
２階の根太にフロア材を直接張らないで、捨て張りをすれば、地震にも強くなり、所要に応じ捨て張りにはコンポーネントパネルよりも構造用合板を使用すれば強度が増す。捨て張りの後、墨を打って接着剤を付着し、３０ｃｍ間隔で入っている根太をめがけて釘を打ってフロア材を張る。
２階のフロア材の場合は、階下への音を和らげるため、裏にクッション材を入れ、間柱と柱の間にまでフロア材を敷きこむ。
フロア材を張る方向の基本は、長手方向に沿って張る事で玄関から廊下、長方形の部屋では普通長手方向で張り、正方形の部屋は、所望に応じて決定する。
更に、２階の捨て張り材の孔には、遮音コーキングや木片等を充填して気密性・遮音性を改良する。
【００６１】
窓枠・ドア枠、枠を取り付ける場合は、必ず「かね」（９０度）が正確に取れることが重要で、ゆがんでいるとドアが引きずり、窓の開閉がスムーズに行かなくなる。
【００６２】
７．金物工事。
柱と桁・梁を羽子板で固定して抜けない様にし、母屋もこの様にして固定する。
梁のつなぎ目には、必ずつなぎ金物を入れ、「日本住宅木材技術センター」のZマーク表示金物若しくはその同等品を木造の場合、６００ｋｇ／ｍ２の金物を使用する。他に、筋交い金物、かすがい、ひねり、土台と管柱の金物等がある。
【００６３】
８．防蟻・防腐工事。
木材の腐敗とシロアリの被害から守るために、束や大引き、土台や柱の表面に防蟻剤・防腐剤の塗布するだけではなく、出来れば木材の内部にも注入すればより良い効果が得られる。防蟻剤・防腐剤の代表的な薬剤としては、クレオソート油が最も効果的である。
特に、浴室や台所周りは、湿気が多いのでシロアリが繁殖し易いので、土台にはシロアリに強いヒバを使用することが望ましく、柱等も下から１ｍ〜１．２ｍの高さまで防蟻剤・防腐剤を塗布し、外壁下地の構造用合板にも塗布する。防蟻剤・防腐剤の薬効は、５年位ですからその年月経過後新たに防蟻剤・防腐剤を塗布する必要があり、そのために床下に潜れる点検個所を設けるものとする
【００６４】
９．電気工事。
電気工事で一番大切なことは、建物の着工前にテレビ、電話、家具等の配置、コンセントの位置も含めどの部屋のどの位置でどの様な電気製品を使用するのかを決定しておいて、それに耐えうる回路、アンペア数を決定しておく必要がある。所要数の回路数を増加しておく。
電気の荒配線では、電灯・スイッチ・コンセントのボックスも柱に確実に固定しておく。荒配線をする時の注意は、大工が釘を打つ箇所を避けて配線し、線を破損すると、漏電の原因となる。又、照明器具の重量が１７〜１８ｋｇもあるものがあるから、それを取り付ける箇所に配線する時は、予め補強下地材を設ける。
【００６５】
電気の配線では、例えば電気ポットと炊飯器とを同時に使用した時、ブレーカーが落ちるのは、専用回路を設けていないからであり、最近は電子レンジとエアコンとを同時に使用する場合が多いので専用回路を設ける必要がある。
この場合のチェックポイントは、家屋を建てる前の設計図の段階で、エアコン、電化製品、照明器具や家具の配置を決めておくことで、これによってスイッチやコンセント、回路数（一回路の目安１８００ｗ．前後）が決まる。
【００６６】
１０．ユニットバス工事。
ユニットバスの足の長さを決め、その高さに合わせてコンクリートを打つ。足の長さが足りない場合は、次の様な工法で施工する。１階のユニットバスの足が来る位置にピンコロ石を設置し、コンクリートボンドにより固定し、高さがある場合は、２段重ねとし、その際はピンコロ石とピンコロ石との間にもコンクリートボンドを塗布する。
ユニットバスの足は、例えば０．７５坪タイプで９箇所位あり、夫々がピンコロ石の中心位置に置ける様に正確に合わせて固定する。そして９箇所ある足に６箇所で固定すれば充分な重さを支持出来なくなる。２階にユニットバスを設置する場合は、足の位置を墨だしし、足の来る位置に角材を補強し、若しくはコンパネ（コンポーネントパネルの略）を２重にして補強する。足の受け皿をビスで留め、その上から接着剤で固定し、水準器でユニットバスが水平になっているかを測り、傾いている場合は、足のアジャスターで調節する。
この場合のチェックポイントは、（１）１階の場合、足の位置と排水管の位置が重ならない様にし、（２）2階の場合、ユニットバスの足の位置に下地材を確実に入れ、（３）１・２階共、据付の際、水準器で正確に水平を取る。
【００６７】
１１．板金工事。
最近の住宅建築に於いては、板金工事とは殆ど雨樋工事を指すものとなっている。屋根の面積や勾配にもよるが、横樋は、80分の１位の勾配をつけ、縦樋は最低３間（約５．４ｍ）に１本の間隔で落とし、通常は横樋には角型を、縦樋には加工し易い丸型を使用する。近くに木や竹林がある場合は、枯葉対策として大きめの縦・横樋を使用し、定期的に掃除し易くする。
【００６８】
１２．ガス工事。
都市ガスやＬＰガスのガス工事で一番の問題は、ガス管を家の外側に設けるか、床下に設けるかであり、具体的にはガスメーターから家の中でガスを使用する個所（給湯器やキッチン等）まで、ガス管をどこを通していくかである。
現在は、大部分が室内床下を通すが、床下の配管にはフレキ管、外の配管にはポリエチレン管を使用する。ポリエチレンの硬い管は、腐食しない代わりに釘に弱く、床下配管に万一ガス漏れが発生すると、室内にガスが入ってくる惧れがある。外に配管すると室内にガスが入ってこない。但し、現在ガスメーターにマイコンが組み込まれているから、ガスが漏れた場合はそこでストップする。
他に、ガスメーターや浴槽の追い焚き式給湯器の取り付け個所、給湯器の能力、ＬＰガスしかない場合、将来都市ガスが配管される可能性等を考慮する必要がある。
【００６９】
１３．畳工事。
畳には、従来の藁床畳と発泡スチール床の化学畳とがあり、前者は湿気を吸収し、乾燥時に適度に水分を放出し、後者は軽くてダニが発生し難い。従って、家屋の気密性等から化学畳は、マンション、機密性の高い住宅等に使用される。
【００７０】
１４．ペンキ工事。
鉄骨階段等の鉄製部のペンキ工事に於いては、ケレンと言い腐食部をヤスリ等できれいに下地処理し、サビ止め材を塗布後、下塗りし、それが乾燥後上塗りをする、2回塗りが基本である。
外壁部の塗装法には、ガン吹き仕上げとローラー仕上げとがあり、前者は、下地のモルタルに多少の凹凸があってもそれを隠蔽出来るが、施工の際塗料の飛沫が周囲に飛ぶので注意する必要があり、後者は、下地をきれいにしておかないと美麗に仕上がらない。
ペンキは、厚く塗布すると逆に剥がれるので、薄からず、厚からず適度の厚みに塗布することが重要である。
【００７１】
１５．クロス工事。
クロスを張る前に、部屋の出隅にコーナービートを取り付け、釘が出ている場合は叩いて釘穴やボードのジョイント部分に所望回数パテをかけて平らにする。クロスを接着剤で張るが、シックハウス症候群を考慮してノンアルデヒド系接着剤を使用し、アセトアルデヒドやホルムアルデヒドが発生しない様にする。
この場合のチェックポイントは、（１）パテをかけて平らにし、（２）出隅にコーナービートを取り付け、（３）シックハウス症候群をおこさないノンアルデヒド系接着剤を使用する。
【００７２】
１６．防水工事。
図１５に於いて、2階に玄関がある場合は、必ず玄関床に防水処理し、立ち上がり部分まで防水処理する。
【００７３】
１７．外壁工事。
ａ）サイデイング
外壁にサイデイングを使用する場合、在来工法では間柱や管柱にサイデイングを直接張って、外部の下地材として２X４工法と同様に構造用合板を張る。その後、防水紙を張る前に、ガス管・給排水管・エアコンや換気扇のダクト用孔・電線等を通す孔を開け、先ず管や線を出してその間隙にシリコン等を充填し、防水テープを張る。
外壁にサイデイングを使用する場合は、防水紙を張った後縦胴縁で押さえ、サッシ周りからの雨漏りを防止するため、サッシのきわに厳重に防水テープを張る。
この場合のチェックポイントは、（１）サイデイングを張る場合、下地が正確に垂直になっているか、（２）コーキングが必要箇所に正確に入る様な間隙を開けておく、（３）防水紙を軒天の中まで挿入する、ことである。
b）モルタル。
外壁をモルタルで仕上げる場合は、先ず構造用合板に防水紙を張り、粗い目のラス網をひし形が縦長に見える方向に張っていき、ラス網が浮いてこない様に細かく縦・横１０〜１５ｃｍ間隔でステープラにより留め、所要に応じ、下塗りと上塗りをする。
この場合のチェックポイントは、（１）下塗りが完全に乾燥してから上塗りし、（２）下塗りの後と、２回目の仕上げ塗りの後に夫々必ず下塗り接着剤を塗布し、（３）下塗り接着剤が完全に乾燥してから次の工程に入る。
ｃ）タイル。
外壁にタイルを張る場合は、下地としてラス板や構造用合板に防水紙を張った後に、先ず粗い目の網を横長に張り、その上に細かい目の網を縦長に張って２重張りとし、夫々ステープラにより留め、次にモルタルを約２cmの厚みに塗り、張る面に割付し、所要箇所に墨を打ち、タイルを張る。
この場合のチェックポイントは、（１）下地の網は２重に張ってあるか、（２）用途に適したタイルを選択したか、である。但し、太く厚い１枚でも張れるラス網もある。
【００７４】
１８．土間コンクリート打設工事。
庭や駐車場のコンクリートは、上に載るものの重量を考慮して打設するコンクリートの厚みを決定する。人間が歩く程度の所なら、砕石を撒き、填圧し、所要に応じメッシュ（細い格子状の鉄筋）を引き、コンクリートを打設する。車両が駐車する場合は、コンクリートを厚めに打設する。更に、門扉やフェンスを取り付け、家屋に見合った外構工事をする。
【００７５】
１９．解体工事、
等である。
【００７６】
２０．所要に応じ、解体工事（所要に応じ、解体工事を実施する）。
１．解体工事のチェックポイントは、（１）ガスは止めてあるか、電気・水道の仮設工事はしてあるか、（２）基礎コンクリートのたたきまで全部運ばれているか、（３）地面にコンクリートや廃材等が埋めて行かれないように作業の最後でチェックする。（４）工務店等に依頼しないで自分で解体業者に依頼する場合、資格を有する産業廃棄物処理業者に依頼する必要がある。
【図面の簡単な説明】
【００７７】
【図１】この発明に係る建築工法チェック方法の実施例のフローチャートである。
【図２】この発明に係る建築工法チェック方法に使用する指しがねの正面図である。
【図３】同じく水準器指の正面図である。
【図４】同じくメジャーの正面図である。
【図５】地質調査する箇所の平面略図である。
【図６】地盤改良する際の束石を設ける箇所を示す平面略図である。
【図７】遣り方出しをする方法の平面略図である。
【図８】土台パッキングを設置する箇所、布基礎、土台、ホールダウン金物等を示す略図である。
【図９】スリーブと給排水管とを設置する状態を示す部分断面略図である。
【図１０】風窓を設置する状態を示す略図である。
【図１１】アンカーボルト、ホールダウン金物の取付け状態を示す略図である。
【図１２】土台に大引、根太、束、火打ち等を設ける拡大部分斜視図である。
【図１３】木工事で桁、根太の取付け状態を示す拡大部分斜視図である。
【図１４】図１２、１３に於いて、木造住宅を構築する部分斜視図である。
【図１５】防水工事を示す部分拡大断面略図である。
【符号の説明】
【００７８】
５２    指しがね；
５４    水準器；
５６    メジャー。  
【図１】
2005068895.tif 000003
【図２】
2005068895.tif 000004
【図３】
2005068895.tif 000005
【図４】
2005068895.tif 000006
【図５】
2005068895.tif 000007
【図６】
2005068895.tif 000008
【図７】
2005068895.tif 000009
【図８】
2005068895.tif 000010
【図９】
2005068895.tif 000011
【図１０】
2005068895.tif 000012
【図１１】
2005068895.tif 000013
【図１２】
2005068895.tif 000014
【図１３】
2005068895.tif 000015
【図１４】
2005068895.tif 000016
【図１５】
2005068895.tif 000017
【手続補正書】
【提出日】平成16年9月7日(2004.9.7)
【手続補正１】
【補正対象書類名】明細書
【補正対象項目名】０００１
【補正方法】変更
【補正の内容】
【０００１】
この発明は、建築工法チェック用ビデオ・CD・DVD及び建築工法チェック方法に関し、更に詳しくは、木造住宅を建築する作業に於いてビデオ映像とCD・DVD、図解入りテキスト及び簡単な器具を使用して建築に詳しくない者でも設計・施工業者の仕事の内容を理解し、各種の施工・作業工程をチェックして確認し、且つ建物のリフォームや各施工業者業種別の標準施工単価を添付する事により工事施工金額の目安となる積算等にも使用可能な建築工法チェック用ビデオ・CD・DVD及び建築工法チェック方法に関する。
【手続補正２】
【補正対象書類名】明細書
【補正対象項目名】００１５
【補正方法】変更
【補正の内容】
【００１５】
一級建築士や建築施工店の大工自身が木工事業務に従事している場合でも、次から次へと新商品が開発され、その技術や知識に追いつかず、自己の仕事に没頭して工事に関する管理業務がおろそかになる。
【手続補正３】
【補正対象書類名】明細書
【補正対象項目名】００１６
【補正方法】変更
【補正の内容】
【００１６】
一級建築士や建築施工店の現場監督が、竣工までに５〜１５回程来ても、現場では１００日〜１５０日、毎日の様に工事が行われている。日数的に見ても、彼ら自身が施工管理を実施することは不可能である。
【手続補正４】
【補正対象書類名】明細書
【補正対象項目名】００４４
【補正方法】変更
【補正の内容】
【００４４】
g）耐圧部と立ち上がりの鉄筋・アンカーボルト・ホールダウン金物の設置。
図１１に於いて、墨出して基礎の位置が決定されたら型枠を作り、配筋し、アンカーボルトも設置し、床部分（耐圧盤又は底盤と言う）には、直径１ｃｍ又は１．３ｃｍの太さの鉄筋を、２０〜３０cm間隔で格子状に組んで敷き、格子が細かい方がより強固になる。
基礎の立ち上がり部分に入れる横筋は、上部と下部は直径１．３ｃｍ、中央は１ｃｍ以上の太さのものを使用し、全部１．３ｃｍとしてもよく、力がかかる上下には、必ず直径１．３ｃｍの横筋を使用する。
この場合のチェックポイントは、（１）コーナー部分の鉄筋が重なっているか、（２）風窓がある場合、鉄筋の補強がされているか、である。